(57)【要約】【課題】  男性用パンツにおいて、通気性が良く、かつフィット感があり、動きに対しても保持力があり、穿き心地の良いパンツを提供すること。【解決手段】  トランクスタイプのパンツの内部に、外陰部を下部側から吊り上げるように覆うためのサポート帯が設けられていることを特徴とする男性用パンツである。  また、前記のサポート帯がメッシュ素材、伸縮性素材であり、そのサポート帯の一端がパンツのウエスト部の後部側に取り付けられ、他端は、パンツのウエスト部の前部側に取り付けられ、中央を弛ませた状態で設けられており、該サポート帯の片方の端部が着脱自在に設けられている男性用パンツである。【選択図】  図１
2006322120.tif 000002
【特許請求の範囲】
【請求項１】
トランクスタイプのパンツの内部に、外陰部を下部側から吊り上げるように覆うためのサポート帯が設けられていることを特徴とする男性用パンツ。
【請求項２】
前記のサポート帯がメッシュ素材であることを特徴とする請求項１に記載の男性パンツ。
【請求項３】
前記のサポート帯の左右の端部に伸縮性紐が設けられていることを特徴とする請求項１又は請求項２の項に記載の男性用パンツ。
【請求項４】
前記のサポート帯が伸縮性素材からなることを特徴とする請求項１から請求項３までのいずれかの項に記載の男性用パンツ。
【請求項５】
前記のサポート帯は、その一端がパンツのウエスト部の後部側に取り付けられ、他端は、パンツのウエスト部の前部側に取り付けられ、中央を弛ませた状態で設けられていることを特徴とする請求項１から請求項４までのいずれかの項に記載の男性用パンツ。
【請求項６】
前記のサポート帯の片方の端部が着脱自在に設けられていることを特徴とする請求項５に記載の男性用パンツ。
【請求項７】
前記のサポート帯の着脱部は、パンツ前面のウエスト部に面ファスナーが設けられ、サポート帯のメッシュ素材が該面ファスナーに対して、任意の位置で着脱できる構造となっていることを特徴とする請求項６の項に記載の男性用パンツ。
【請求項８】
前記のサポート帯は、抗菌処理が施されていることを特徴とする請求項１から請求項７までのいずれかの項に記載の男性用パンツ。
【発明の詳細な説明】
【技術分野】
【０００１】
本発明は、男性用パンツに関し、さらに詳しくは、発汗時においても穿き心地が良好なトランクスタイプの男性用パンツに関する。
【背景技術】
【０００２】
従来より、男性用パンツにおいては、フィット感や通気性などが考慮され、ブリーフタイプやトランクスタイプ等各種のものがある。
【０００３】
通気性の良いトランクスタイプも多く普及している。
【０００４】
しかしながら、通気性は良いが睾丸と太股とが接触するため、不快感を与え、また、激しい運動時などでは睾丸が揺れ動いてしまう問題があった。
【０００５】
ブリーフタイプは、外陰部の締め付け状態は良いが、通気性が非常に悪いという問題があった。
【０００６】
実用新案登録第３０７５００６号では、男性インナーにおいて、股間のクロッチ部をメッシュ素材で形成することで、使用時にメッシュ素材が睾丸部を押さえることができ、これにより睾丸部の通気性がよくなり、該部の温度上昇や発汗を抑えることが可能となるという男性インナーが開示されている。
【０００７】
また、特開平１０−０２５６０１号では、パンツ本体の前面内側に、Ｕ字形状を有する吸湿性布体を取り付け、該布体で外陰部を取り囲むものであり、緩やかな状態で固定し、しかもＵ地形状の布体は、吸湿性素材であるため、前股部に大量の汗をかいた場合であっても、布体が汗を吸収し、股間がむれることなく、良好な穿き心地を保つことができるという男性用パンツが開示されている。
【特許文献１】実用新案登録第３０７５００６号公報
【特許文献２】特開平１０−０２５６０１号公報
【発明の開示】
【発明が解決しようとする課題】
【０００８】
しかしながら、前記の実用新案登録第３０７５００６号の場合においては、基本的にブリーフタイプの男性用パンツに適応したものであり、ある程度の通気性は確保されるが、前面からの締め付けがあるため、睾丸部と股間部とが接触し、汗をかきやすく、特に運動時などではムレや締め付けによる不快感を解消することはできない。
【０００９】
前記の特開平１０−０２５６０１号の場合においては、通気性が良く、締め付け感もなくなるが、Ｕ字形状の布体で外陰部を取り囲み、外陰部の根元を吊り上げる状態となるので違和感は免れない。
【００１０】
また、その吊り上げ部となる根元部は、動きにより擦れる原因となり、ムレや摩擦を引き起こしやすい。
【００１１】
本発明は、上記のような問題に鑑みてなされたものであり、通気性が良く、かつフィット感があり、動きに対しても保持力があり、穿き心地の良い男性用パンツを提供することを課題とする。
【課題を解決するための手段】
【００１２】
本発明の請求項１では、トランクスタイプのパンツの内部に、外陰部を下部側から吊り上げるように覆うためのサポート帯が設けられていることを特徴とする男性用パンツである。
【００１３】
該サポート帯は、所定の幅を有する帯状布体で外陰部を下部側から吊り上げ、外陰部全体を覆うことができるものであればいずれでも良い。
【００１４】
幅は１５０ｍｍから３００ｍｍ程度が好ましい。
【００１５】
本発明の請求項２では、前記のサポート帯がメッシュ素材であることを特徴とする男性パンツである。
【００１６】
該メッシュ素材は、網目を有する生地であればいずれでも良く、穿き心地からソフトな素材が好ましい。
【００１７】
網目は、０．３ｍｍから８ｍｍ程度が好ましい。
【００１８】
網目が小さいと通気性を損ねる。
【００１９】
大きいとフィット感、保持感を損ねる。
【００２０】
本発明の請求項３では、前記のサポート帯の左右の端部に伸縮性紐が設けられていることを特徴とする男性用パンツである。
【００２１】
該伸縮性紐は、ゴム紐などの伸縮性を有する紐であれば良く、外陰部の保持感が高まる。
【００２２】
本発明の請求項４では、  前記のサポート帯が伸縮性素材からなることを特徴とする男性用パンツである。
【００２３】
該伸縮性素材は、縦横全方向に一定程度に伸縮性を有する素材で、ソフトなフィット感があればいずれでも良く、例えば、東レの「メシュロン」やカネボウの「ベルカップル」などでも良い。
【００２４】
本発明の請求項５では、  前記のサポート帯は、その一端がパンツのウエスト部の後部側に取り付けられ、他端は、パンツのウエスト部の前部側に取り付けられ、中央を弛ませた状態で設けられていることを特徴とする男性用パンツである。
【００２５】
該サポート帯の長さは、使用者の体格によるが、３５０ｍｍから８５０ｍｍ程度が好ましい。
【００２６】
本発明の請求項６では、  前記のサポート帯の片方の端部が着脱自在に設けられていることを特徴とする男性用パンツである。
【００２７】
着脱構造は、着脱が容易であり、違和感のないものが好ましく、ボタンや面ファスナーなどが使用できる。
【００２８】
本発明の請求項７では、  前記のサポート帯の着脱部は、パンツ前面のウエスト部に面ファスナーが設けられ、サポート帯のメッシュ素材が該面ファスナーの任意の位置で着脱できる構造となっていることを特徴とする男性用パンツである。
【００２９】
該面ファスナーは雄側面ファスナーとし、メッシュ素材が雌側の面ファスナーの代わりとなるので着脱が可能となり、任意の位置で着脱できるので、自由に長さを調整でき、好みに応じてフィット感の調整が可能となる。
【００３０】
本発明の請求項８では、  前記のサポート帯は、抗菌処理が施されていることを特徴とする男性用パンツである。
【００３１】
抗菌効果が発揮される素材であればいずれでも良く、例えば、カネボウの「リブフレッシュＰスーパー」や帝人の「ケミタックα」などでも良い。
【発明の効果】
【００３２】
本発明では以下のような効果がある。
【００３３】
１）通気性が良く、かつ締め付けがなく、穿き心地が良い。
【００３４】
２）動きに対して、フィット感があり、保持力がある。
【００３５】
３）圧迫感が少なく、違和感も少ない。
【００３６】
４）パンツ本体とサポート帯とが分離しているので、通気性が非常に良い。
【００３７】
５）外陰部と股間が直接接触しないので、汗をかきにくく、擦れることもない。
【００３８】
６）抗菌処理されていると、雑菌などの繁殖を抑えることができる。
【発明を実施するための最良の形態】
【００３９】
本発明による一実施の形態を図面を用いて説明する。
【００４０】
図１は、本発明による男性用パンツの実施例を示す概略斜視図であり、パンツ本体を透視してサポート帯を示している。
【００４１】
トランクスタイプのパンツ本体１の内部にサポート帯２が取り付けられている。
【００４２】
該サポート帯２は、メッシュ素材である。
【００４３】
このサポート帯２の一端側３は、パンツ１の後面のウエスト部４に縫合されている。
【００４４】
他方の端部側５は、パンツ１の前面のウエスト部６に設けられた雄側面ファスナー７に付着し、着脱自在ととなっている。
【００４５】
図２の（１）は、サポート帯を透視した正面図でり、（２）は、Ａ−Ａ部の断面を示す側部断面図であり、（３）は、平面図である。
【００４６】
該サポート帯２は、面ファスナー７に対して任意の位置で着脱固定できるので、使用者の体格に合わせて、装着時に、締め付け状態を随時調整できる。
【００４７】
サポート帯２はメッシュ素材であるため、外陰部を下部から持ち上げて支えることとなり、運動時にも十分な保持力を維持できる。
【００４８】
また、パンツ１本体と外陰部が直接接触しないので、むれることはなく、擦れることもなく、非常に穿き心地の良い男性用パンツとなる。
【００４９】
図３の（１）は、サポート帯２の概略斜視図であり、（２）は、その展開図である。
【００５０】
（３）は、サポート帯２の左右の端面にゴム紐８を縫い込んだものである。
【００５１】
（４）は、サポート帯２の他の実施例であり、中心部を細くしたものである。
【００５２】
本実施例では、サポート帯２は、平坦な長方形状の例を示したが、外陰部の形状に適合させて立体的な形状のサポート帯としても良い。
【００５３】
また、外陰部の付近のみをメッシュ素材としても良い。
【００５４】
さらに、前後端部の両方を着脱式として、完全に取り外し可能とし、取り変え可能としても良い。
【００５５】
また、着脱構造は、面ファスナーのほかにも、違和感の少ないものであれば、ボタンやフック、ファスナーなど他の着脱構造を用いても良い。
【００５６】
また、着脱構造であるため、男性器が左寄りの人は左へ、右寄りの人は右へと、サポート帯の端部の付着位置を移動して面ファスナーに固定することで、左右位置の微調整が可能である。
【００５７】
さらにまた、激しい運動の時などには、メッシュ素材の内側に吸湿、速乾素材、例えば、カネボウの「ソアリオンＹ」を取り付けても良い。
【００５８】
また、孟宗竹パウダーや銅イオンなどによる抗菌処理されたメッシュを使用すると、「インキンタムシ」の予防、治療となり、匂いを抑えることができる。
【００５９】
また、男性下着が見直されてきており、各種の機能を有する男性用パンツが開発されている。
【００６０】
男性用パンツにとって、最も大事なことは男性器の温度調節が容易にできるということとされている。
【００６１】
ピッタリとした下着を履き続けると男性器の温度が上昇し、睾丸で作られる精子も影響すると言われている。
【００６２】
男性ホルモン（テストステロン）の分泌が極端に弱くなり、  最近の、男性不妊が増えていると言われている。
【００６３】
また、男性器を常に上向きに保持することで、男性ホルモンの分泌、促進などに効果があるとされている。
【００６４】
そして、この状態を維持することで、睾丸部分と陰嚢部分が分かれるので、悪臭や雑菌の発生を防ぐことができると言われている。
【００６５】
本発明のサポート帯を用いることにより、上記の男性器の温度上昇を調節でき、また、サポート帯を立体形状とすると、男性器を常に上向きに保持することを可能とし、男性ホルモンの分泌促進となり、睾丸部分と陰嚢部分が分かれて維持され、悪臭や雑菌の発生を防ぐことが可能となる。
【００６６】
睾丸と陰嚢の温度を別々に保つことによって、ベタつかず、快適な穿き心地となり、健康な精子を保持することは、早漏やインポテンツなどの防止にも繋がる。
【００６７】
ホルモンの分泌を促進するだけではなく、精子の健康や早漏、勃起不全などの問題も解決できる。
【００６８】
本実施例では、一般的な男性用パンツの例を示したが、陸上競技用短パン、サッカーパンツ、水泳パンツ、ボクサーパンツなどに適応すれば、下着を付けずにもっと快適にスポーツを楽しむことができる。
【図面の簡単な説明】
【００６９】
【図１】本発明による男性用パンツの実施例を示す概略斜視図である。
【図２】本発明による男性用パンツの実施例の詳細を示す図である。
【図３】本発明による男性用パンツのサポート帯の実施例を示す図である。
【符号の説明】
【００７０】
１  パンツ本体
２  サポート帯
３、５  サポート帯端部
４  パンツ後面ウエスト部
７  面ファスナー
８  ゴム紐
【図１】
2006322120.tif 000003
【図２】
2006322120.tif 000004
【図３】
2006322120.tif 000005